(57)【特許請求の範囲】
【請求項１】
外部装置との間でデータ通信が可能であるか否かを判断する認証処理を実行し、前記認証処理が成功した場合に前記外部装置との間で前記データ通信を実行する通信チップと、
前記通信チップを介する前記データ通信を制御するための制御チップとを備え、
前記通信チップおよび前記制御チップは、第１および第２のメモリをそれぞれ含み、
前記第１のメモリは、前記認証処理のための認証データを格納し、
前記第１のメモリは揮発性のメモリであり、前記第２のメモリは不揮発性のメモリである、半導体装置。
【請求項２】
前記通信チップは、
前記外部装置からのデータを送受信する送受信回路と、
前記送受信回路を制御する制御回路とを含み、
前記制御回路は、前記送受信回路で受信したデータに含まれる認証データと前記第１のメモリに格納されている認証データとが一致するか否かを判断する認証処理を実行する、請求項１記載の半導体装置。
【請求項３】
前記第２のメモリは、前記第１のメモリよりも容量が大きい、請求項１または２記載の半導体装置。
【請求項４】
前記通信チップを駆動する電圧は、前記制御チップを駆動する電圧よりも低い、請求項１〜３のいずれか１項に記載の半導体装置。
【請求項５】
前記通信チップを構成するトランジスタは、前記制御チップを構成するトランジスタよりも高速なトランジスタである、請求項１〜４のいずれか１項に記載の半導体装置。
【請求項６】
前記第１のメモリは、前記認証処理のための１つの認証データを格納し、
前記第２のメモリは、前記認証処理のための他の認証データを格納する、請求項１〜５のいずれか１項に記載の半導体装置。
【発明の詳細な説明】
【技術分野】
【０００１】
本開示は、半導体装置に関し、特に、通信用の半導体装置に関する。
【背景技術】
【０００２】
近年、近距離の無線データ通信の規格として、ブルートゥース（Ｂｌｕｅｔｏｏｔｈ（登録商標））が注目されている。ブルートゥースでは、すでに対応する無線モジュールの小型化・低価格化が進み、また消費電力も低いことから、デジタルスチルカメラや携帯電話機といった携帯機器への搭載が容易であり、これらの機器間やＰＣ（パーソナルコンピュータ）等の情報機器との間で、画像や音声等のデータを無線により手軽に送受信することが可能となる。例えば、特許文献１には、ブルートゥースの近距離無線通信回線を用いて通信する電子機器が示されている。
【先行技術文献】
【特許文献】
【０００３】
【特許文献１】特開２００５−７２８６４号公報
【発明の概要】
【発明が解決しようとする課題】
【０００４】
しかしながら、上記特許文献１に示される構成では、通信に関する情報を格納するメモリが制御マイコンや、通信モジュールと独立に設けられた構成であるため、通信接続に時間がかかるという課題がある。
【０００５】
本開示は、上記の課題を解決するためになされたものであって、データ通信を高速に実行することが可能な半導体装置および半導体装置の制御方法を提供することを目的とする。
【０００６】
その他の課題と新規な特徴は、本明細書の記述および添付図面から明らかになるであろう。
【課題を解決するための手段】
【０００７】
一実施例によれば、半導体装置は、外部装置との間でデータ通信が可能であるか否かを判断する認証処理を実行し、認証処理が成功した場合に外部装置との間でデータ通信を実行する通信チップと、通信チップを介するデータ通信を制御するための制御チップとを備える。通信チップおよび制御チップは、第１および第２のメモリをそれぞれ含む。第１のメモリは、認証処理のための認証データを格納する。
【発明の効果】
【０００８】
一実施例によれば、半導体装置は、データ通信を高速に実行することが可能である。
【図面の簡単な説明】
【０００９】
【図１】実施形態に基づく無線通信システムの概念を説明する図である。
【図２】実施形態に基づくカメラ１のハードウェアの構成を説明する図である。
【図３】実施形態に基づく制御部１０の構成を説明する図である。
【図４】実施形態に基づく制御部１０の構造を説明する図である。
【図５】実施形態に基づく通信モジュール１８の内部構成を説明する図である。
【図６】実施形態に基づくテレビジョン２の内部構成例を示すブロック図である。
【図７】実施形態に基づくモニタ１５に表示される認証データの登録可否を要求する画面を説明する図である。
【図８】実施形態に基づく認証処理を説明するフロー図である。
【図９】実施形態の変形例１に基づく認証データの格納方式について説明するフロー図である。
【発明を実施するための形態】
【００１０】
本実施形態について図面を参照しながら詳細に説明する。なお、図中同一または相当部分には同一符号を付し、その説明は繰り返さない。
【００１１】
図１は、実施形態に基づく無線通信システムの概念を説明する図である。
図１に示されるように、無線通信システムは、カメラ１と、カメラ１と通信可能なテレビジョン２とを含む。本例においては、比較的近距離での無線通信を行う機器に適用される。カメラ１は、撮像した静止画像をデジタル方式の画像データとして記録媒体に記録し、記録した画像データをテレビジョン２に無線送信する。テレビジョン２は、カメラ１から送信された画像データに基づく画像を表示する。
【００１２】
図２は、実施形態に基づくカメラ１のハードウェアの構成を説明する図である。
図２に示されるように、カメラ１は、撮像機能を担うカメラブロック１１と、撮像された画像信号のアナログ−デジタル変換やデータフォーマット変換処理等を行う信号処理ＬＳＩ１２と、画像表示用のモニタ１５と、ユーザによる操作入力のための入力部１６と、装置全体の制御をつかさどる制御部１０とを含む。これらはバスで接続されている。
【００１３】
制御部１０は、マイクロコンピュータ（以下、制御マイコンと呼称する）１７と、外部の機器と無線通信するための通信モジュール１８とを含む。
【００１４】
制御マイコン１７には、メモリ５０が組み込まれている。また、通信モジュール１８にはメモリ４０が組み込まれている。
【００１５】
カメラブロック１１は、被写体から光が入射されるレンズによる光学系やアイリス、シャッタ、および入射光を光電変換するＣＣＤ（Charge Coupled Device）等の撮像素子等により構成される。
【００１６】
信号処理ＬＳＩ１２は、撮像素子からの出力信号に対するデジタル信号への変換処理や、ノイズ除去処理や画質補正処理、輝度・色差信号への変換処理、ＪＰＥＧ（Joint Photographic Coding Experts Group）規格等の所定のデータフォーマットへの符号化処理を行う。
【００１７】
モニタ１５は、例えばＬＣＤ（Liquid Crystal Display）等により構成され、カメラブロック１１において撮像されている、いわゆるカメラスルー画像を表示する他、メモリ５０から読み出した画像を表示することが可能となっている。
【００１８】
入力部１６は、例えばカメラブロック１１のシャッタを操作するためのシャッタレリーズボタンや、動作モードを選択するための選択スイッチ等により構成され、ユーザによる操作に応じた指示入力信号を制御部１０に対して出力する。
【００１９】
制御部１０は、各回路ブロックを制御する制御処理部であり、必要に応じて内蔵されたメモリ４０に記憶されたアプリケーションプログラムを実行しながら、入力部１６からの指示入力信号に基づいて、各回路ブロックを制御する。
【００２０】
通信モジュール１８は、例えば、周波数ホッピング型のスペクトル拡散方式による信号送受信のためのアンテナおよびＲＦ（Radio Frequency）トランシーバや、ベースバンド処理、制御マイコン１７とのインタフェース処理等を行うプロセッサ等により構成されて、制御マイコン１７により制御される通信手順に従って、テレビジョン２等の外部機器との無線通信を実行する。
【００２１】
制御マイコン１７による制御の下で、カメラブロック１１において撮像された画像信号が、信号処理ＬＳＩ１２を介してモニタ１５に表示される。また、入力部１６からの指示入力信号によりカメラブロック１１のシャッタが切られると、撮像された画像信号が信号処理ＬＳＩ１２において所定のデータフォーマットのデジタルデータに変換され、メモリ５０に記録される。さらに、メモリ５０に記録された画像データを読み出して信号処理ＬＳＩ１２により復号化し、生成された画像をモニタ１５に表示することができる他、読み出した画像データを通信モジュール１８を通じて、テレビジョン２をはじめとする外部機器に無線送信することができる。
【００２２】
図３は、実施形態に基づく制御部１０の構成を説明する図である。
図３に示されるように、制御部１０は、制御マイコンチップ１７と、通信モジュールチップ１８とを含む。制御マイコンチップ１７と、通信モジュールチップ１８とは配線３０で電気的に接続されている。
【００２３】
通信モジュールチップ１８は、メモリ４０を内蔵している。
制御マイコンチップ１７は、メモリ５０を内蔵している。
【００２４】
一例として、メモリ４０およびメモリ５０の少なくとも一方は不揮発性メモリで構成される。
【００２５】
不揮発性メモリとして、ＥＥＰＲＯＭや、磁気抵抗ＲＡＭ（ＭＲＡＭ（Magneto resistive Random Access Memory））や、抵抗変化型メモリ（ＲｅＲＡＭ（Resistance random access memory））や強誘電体メモリ（ＦｅＲＡＭ（Ferroelectric Random Access Memory））等を用いることが可能である。
【００２６】
メモリ４０は、通信用のメモリであり通信モジュールチップ１８における認証処理のために用いられる認証データを格納する。認証データとしては一例としてＭＡＣアドレス（Media Access Control address）を利用することが可能である。
【００２７】
メモリ５０は、画像の撮像や記録・再生動作、および無線通信のための各種アプリケーションプログラムや必要なデータを保持する。また、これらの処理実行中に、画像等のデータを一時的に記憶する。
【００２８】
図４は、実施形態に基づく制御部１０の構造を説明する図である。
図４に示されるように、制御部１０は、ＳｉＰ（System in Package）構造で成形される。
【００２９】
具体的には、通信モジュールチップ１８および制御マイコンチップ１７は、プリント配線基板上にサイドバイサイドで載置される。通信モジュールチップ１８および制御マイコンチップ１７は、プリント配線基板上の配線によりデータの授受が実行される。
【００３０】
図５は、実施形態に基づく通信モジュール１８の内部構成を説明する図である。
図５に示すように、通信モジュール１８は、ベースバンド回路１８１と、ＲＦ送受信回路１８２と、制御部１８３と、ＲＦ発振器１８４と、メモリ４０とを含む。
【００３１】
ベースバンド回路１８１は、物理（ＲＦ）層制御のための信号処理回路等を具備し、制御部１８３の制御の下で、制御マイコン１７からのデータに対する通信リンクの提供や、パケット再送、誤り訂正等の処理を行う。
【００３２】
ＲＦ送受信回路１８２は、無線通信のための送信回路および受信回路を含む。
具体的には、例えば、ＤＡＣ（デジタル−アナログ−コンバータ）１８２ａ、ローパスフィルタ１８２ｂ、ＩＱ変調器１８２ｃ、送信アンプ１８２ｄ、ＲＦスイッチ回路１８２ｅ、受信アンプ１８２ｆ、ＩＱ復調器１８２ｇ、帯域フィルタ１８２ｈ、復調回路１８２ｊ、アンテナ１８２ｌを含む。
【００３３】
ベースバンド回路１８１から供給された信号は、ＤＡＣ１８２ａによりアナログ信号に変換され、ローパスフィルタ１８２ｂにより高周波成分がカットされた後、ＩＱ変調器１８２ｃにより変調される。
【００３４】
ＩＱ変調器１８２ｃは、ＲＦ発振器１８４からの基準波を基に、周波数ホッピング方式のスペクトラム拡散を行う。変調された信号は、送信アンプ１８２ｄにより増幅されて、ＲＦスイッチ回路１８２ｅを介してアンテナ１８２ｌに供給され、無線送信される。
【００３５】
一方、アンテナ１８２ｌにより受信された信号は、ＲＦスイッチ回路１８２ｅを介して受信アンプ１８２ｆに供給され、増幅された後、ＩＱ復調器１８２ｇによりＲＦ発振器１８４からの基準波を基に復調される。さらに、帯域フィルタ１８２ｈにより帯域制限された後、復調回路１８２ｊにより中間周波数にダウンコンバートされて、ベースバンド回路１８１に供給される。
【００３６】
制御部１８３は、制御マイコン１７からベースバンド回路１８１を介して入力される情報に従って、通信モジュール１８内の各ブロックを制御する。
【００３７】
ＲＦ発振器１８４は、発振器やＰＬＬ（Phase Locked Loop）等を具備し、制御部１８３からの制御に従って、周波数ホッピングのための基準波をＩＱ変調器１８２ｃおよびＩＱ復調器１８２ｇに与える。
【００３８】
また、制御部１８３は、メモリ１８５に格納されている認証データを用いた外部機器との認証処理を実行する。
【００３９】
図６は、実施形態に基づくテレビジョン２の内部構成例を示すブロック図である。
図６に示すように、テレビジョン２は、通信モジュールと同様の機能を有する通信モジュール２１と、装置全体の制御をつかさどる制御マイコン２２と、データの一時的記憶等を行うメモリ２３と、受信した画像データの解像度の変換処理等を表示部２６に表示するための信号処理を行う信号処理ＬＳＩ２４と、画像を表示する表示部２６と、ユーザによる手動操作用の入力部２７によって構成され、これらがバス接続されている。
【００４０】
通信モジュール２１は、制御マイコン２２の制御の下で、カメラ１との間で無線通信を行う。制御マイコン２２は、テレビジョン２の各回路ブロックを制御する制御処理部であり、必要に応じてメモリ２３内のアプリケーションプログラムを実行しながら、入力部２７からの指示入力信号や、通信モジュール２１を介して受信したデータに基づいて、各回路ブロックを制御する。
【００４１】
メモリ２３は、ＲＯＭ、ＲＡＭ等により構成され、表示制御や無線通信等のためのアプリケーションプログラムやデータを保持する。また、画像データの受信時等においてデータを一時的に保持する。
【００４２】
入力部２７は、ユーザによって操作されるボタンスイッチ等により構成される。
このようなテレビジョン２では、制御マイコン２２の制御の下で、通信モジュール２１を介してカメラ１等との無線通信が行われ、画像データが受信される。受信した画像データは、信号処理ＬＳＩ２４による解像度の変換処理等が行われた後、表示部２６に表示される。
【００４３】
一般的にブルートゥースのような無線通信の場合、ある機器から他の機器に対して接続を行い、ファイルや画像データの送信等を行う場合には、接続元の機器（マスタ）ではまず、接続したい相手機器（スレーブ）を指定する必要がある。特に、初めて接続する場合には、周囲に存在する無線通信が可能な機器を探索し、見つかった中から目的のスレーブ機器を選択して接続するのが一般的な手順である。
【００４４】
図７は、実施形態に基づくモニタ１５に表示される認証データの登録可否を要求する画面を説明する図である。
【００４５】
図７に示されているように、初めて接続する無線通信が可能な機器が見つかった場合に、モニタ１５に登録可否要求画面６０が表示されている。
【００４６】
本例においては、登録可否要求画面６０において「テレビジョンＡをデータ通信可能な装置として登録しますか？」のメッセージが表示されている。また、「はい」、「いいえ」のボタン６２，６４が当該画面に設けられている。
【００４７】
例えば、入力部１６を操作して「はい」ボタン６２を選択した場合に、テレビジョンＡを認証するために認証データがメモリ４０に登録される。
【００４８】
「いいえ」ボタン６４を選択した場合には、テレビジョンＡを認証するための認証データはメモリ４０に登録されない。
【００４９】
具体的には、制御マイコン１７は、入力部１６の「はい」ボタン６２の選択入力を受け付けたことを検知して、テレビジョンＡの認証データを通信モジュール１８のメモリ４０に格納する。
【００５０】
通信モジュールチップ１８は、次回以降は、当該メモリ４０に格納されている認証データを利用して認証処理を実行することが可能である。
【００５１】
図８は、実施形態に基づく認証処理を説明するフロー図である。
当該処理は、カメラ１の制御部１０において実行される。
【００５２】
図８に示されるように、制御部１０は、外部機器（一例としてテレビジョン２）からの応答が有るかどうかを判断する（ステップＳ２）。具体的には、通信モジュール１８の制御部１８３は、接続要求に対する応答が有るかどうかを判断する。
【００５３】
次に、制御部１０は、応答が有ると判断した場合（ステップＳ２においてＹＥＳ）には、認証データを確認する（ステップＳ４）。具体的には、通信モジュール１８の制御部１８３は、接続要求に対する応答が有ると判断した場合には当該応答に含まれる認証データを確認する。
【００５４】
次に、制御部１０は、認証データが一致するかどうかを判断する（ステップＳ６）。具体的には、制御部１８３は、受信した認証データと、メモリ５０に格納されている認証データとが一致するかどうかを判断する。
【００５５】
次に、ステップＳ６において、制御部１０は、認証データが一致すると判断した場合（ステップＳ６においてＹＥＳ）には、認証ＯＫの旨を通知する（ステップＳ８）。具体的には、制御部１８３は、受信した認証データと、メモリ５０に格納されている認証データとが一致すると判断した場合には、認証ＯＫの旨を制御マイコン１７に通知する。
【００５６】
そして、処理を終了する（エンド）。
制御マイコン１７は、通信モジュール１８からの認証ＯＫの通知に従って接続リンクを確立する。以降、通信モジュール１８を介して外部機器（一例としてテレビジョン２）との間でのデータの授受が実行される。本例においては、一例としてメモリ５０に格納されている画像データがテレビジョン２に送信される。そして、テレビジョン２において、カメラ１から送信された画像データが表示される。
【００５７】
一方、ステップＳ６において、制御部１０は、認証データが一致しないと判断した場合（ステップＳ６においてＮＯ）には、認証問い合わせ要求を実行する（ステップＳ１０）。具体的には、通信モジュール１８の制御部１８３は、認証問い合わせ要求を制御マイコン１７に出力する。制御マイコン１７は、通信モジュール１８からの認証問い合わせ要求に対してモニタ１５に登録可否要求画面６０を表示する。
【００５８】
そして、次に、制御部１０は、登録が有るかどうかを判断する（ステップＳ１２）。具体的には、制御マイコン１７は、入力部１６の操作指示に従って登録可否要求画面６０において「はい」ボタン６２の選択入力が有ったかどうかを判断する。
【００５９】
ステップＳ１２において、制御部１０は、登録が有ると判断した場合（ステップＳ１２においてＹＥＳ）には、登録処理を実行する（ステップＳ１４）。具体的には、制御マイコン１７は、入力部１６の操作指示に従って登録可否要求画面６０において「はい」ボタン６２の選択入力が有った場合には、受信した認証データを通信モジュール１８のメモリ４０に格納する。
【００６０】
そして、制御部１０は、認証ＯＫの旨を通知する（ステップＳ８）。そして、接続リンクが確立される。
【００６１】
そして、処理を終了する（エンド）。
一方、ステップＳ１２において、制御部１０は、登録が無いと判断した場合（ステップＳ１２においてＮＯ）には処理を終了する（エンド）。具体的には、制御マイコン１７は、入力部１６の操作指示に従って登録可否要求画面６０において「いいえ」ボタン６４の選択入力が有った場合には、処理を終了する。この場合には、受信した認証データを通信モジュール１８のメモリ４０には格納せず、接続リンクは確立されない。
【００６２】
本実施形態に基づくデータ通信は、通信モジュール１８のメモリ４０に認証データが格納されているため通信モジュール１８で認証処理が実行されて接続リンクが確立される。
【００６３】
したがって、従来方式の如くメモリが独立して設けられている構成と比較して認証処理を早期に実行することが可能であり、データ通信を高速に実行することが可能である。
【００６４】
また、メモリ４０に登録可能な認証データの数を制限しておくことにより、接続する外部機器を制限して、目的の外部機器を確実に接続させてユーザにとって直感的な接続動作を実現することが可能である。
【００６５】
また、上記においては、メモリ４０に外部機器と接続する認証データを保存する例について説明したが、メモリ４０に接続しない外部機器の認証データを保存するようにしても良い。具体的には、登録可否要求画面６０で「いいえ」ボタン６４の選択入力が有った場合には、受信した認証データを接続しない外部機器の認証データとしてメモリ４０に保存するようにしても良い。そして、次回以降、受信した認証データがメモリ４０に格納されている接続しない外部機器の認証データと一致した場合には、認証問い合わせ要求を出力することなく、処理を終了するようにしても良い。当該フィルタリングにより不要な処理を削減して消費電力を低減することが可能である。
【００６６】
また、通信モジュール１８において認証データを格納するためのメモリ４０を内蔵することにより制御マイコン１７側でのメモリ５０の容量を抑えることが可能である。また、認証データを格納するためのメモリ４０の容量は、メモリ５０の容量よりも低く抑えることが可能である。したがって、通信モジュール１８および制御マイコン１７のチップ面積を低く抑えつつ高速なデータ通信を実行することが可能である。
【００６７】
また、通信モジュール１８での高速な回路動作を保障するために制御マイコン１７を構成するトランジスタよりも応答特性のよい高速なトランジスタで構成することが好ましい。
【００６８】
また、消費電力を抑制するために通信モジュール１８を駆動する電圧と、制御マイコン１７を駆動する電圧とを異なるように構成することが可能である。具体的には、制御マイコン１７を駆動する電圧よりも低い電圧で通信モジュール１８を駆動することによりデータ通信における消費電力を低減することが可能である。
【００６９】
また、制御マイコンに通信モジュールを混載する構成とした場合、通信モジュールの種類に応じた制御マイコンを製造する必要があるため制御マイコンの種類が多くなるという問題がある。
【００７０】
本実施形態に従う構成では、制御マイコン１７と通信モジュール１８のチップをそれぞれ分けることにより、制御マイコン１７の製造する種類を抑えることが可能である。また、汎用的な制御マイコンを用いることが可能であり、制御マイコンと通信モジュールのチップとの組み合わせの選択自由度が向上する。
【００７１】
また、制御マイコン１７側にのみ認証データが格納されていて通信モジュール１８側に認証データが格納されていない場合には、通信モジュール１８と制御マイコン１７との間のインタフェースの脆弱性という問題がある。つまり通信モジュールのチップに対して認証データを制御マイコンから転送する場合には、３線シリアル伝送により平均電流が押し上げられるため転送に時間がかかり、初期認証に時間がかかる可能性がある。一方で、本実施形態に従う構成では、認証データを転送する必要がなく、初期認証の時間も短縮することが可能である。
【００７２】
（変形例１）
また、別の方式として、電源投入後、制御マイコン１７のメモリ５０に格納されている認証データを通信モジュール１８に出力する。そして、通信モジュール１８のメモリ４０に格納して、通信モジュール１８において、当該メモリ４０に格納されている認証データを利用して認証処理を実行するようにしてもよい。
【００７３】
図９は、実施形態の変形例１に基づく認証データの格納方式について説明するフロー図である。
【００７４】
図９に示されるように、制御マイコン１７は、電源投入後、メモリ５０に格納されている認証データを通信モジュール１８に出力する（ステップＳ２０）。
【００７５】
通信モジュール１８は、制御マイコン１７から配線３０を介して出力された認証データを通信用メモリであるメモリ４０に格納する（ステップＳ２２）。
【００７６】
そして、処理を終了する（エンド）。
通信モジュール１８は、メモリ４０に格納されている認証データを用いて外部装置とのデータ通信が可能であるか否かの上記で説明した認証を実行する。
【００７７】
制御マイコン１７側のメモリ５０に格納されている認証データを格納して、当該メモリ５０に格納されている認証データをメモリ４０に移動させる。そして、通信モジュール１８において、当該メモリ４０に移動させた認証データに基づいて認証処理を実行する。
【００７８】
仮にメモリ４０に格納されているデータに不具合が生じた場合であってもメモリ５０で管理されている認証データを利用することにより容易に復旧することが可能である。また、当該方式の場合にはメモリ４０をＤＲＡＭ（Dynamic Random Access Memory）等の揮発性のメモリを利用することが可能であり、不揮発性のメモリを利用する場合よりもより消費電力を低減することが可能である。
【００７９】
（変形例２）
上記の変形例１においては、制御マイコン１７のメモリ５０に格納されている認証データを通信モジュール１８のメモリ４０に出力する場合について説明した。
【００８０】
本変形例２においては、メモリ４０およびメモリ５０の両方に認証データを保持する場合について説明する。
【００８１】
具体的には、通信モジュール１８のメモリ４０に認証データを１つ登録する。他の残りの接続可能な外部機器の認証データはメモリ５０に保存する。
【００８２】
通信モジュール１８のメモリ４０に格納されている認証データを送信する外部機器とデータ通信する場合については、認証処理を高速に実行して高速なデータ通信が可能である。
【００８３】
また、通信モジュール１８のメモリ４０に格納されていない認証データを送信する外部機器とデータ通信する場合については、当該認証データを受信した場合には、制御マイコン１７側で認証データが一致するか否かの判断をする。そして、制御マイコン１７のメモリ５０に格納されている認証データと一致した場合には認証ＯＫと判断して接続リンクを確立してデータ通信を実行する。そして、制御マイコン１７は、通信モジュール１８のメモリ４０に当該認証ＯＫと判断された認証データを保存する。これにより次回以降、認証データがメモリ４０に格納されているため高速な認証が可能となる。
【００８４】
当該構成により、高速な認証が可能なように通信モジュール１８のメモリ４０に認証データを格納し、通信が可能な他の外部機器の認証データについては、予備的に制御マイコン１７のメモリ５０に格納して、認証することにより高速なデータ通信を効率的に実行することが可能である。
【００８５】
なお、上記においては、メモリ５０に格納された画像データをテレビジョン２にデータ通信により送信する場合について説明したが、特に画像データに限られず音声データや他のファイルデータ等種々のデータをデータ通信により送信するようにしても良い。
【００８６】
上記の実施形態では、テレビジョン２との間で無線通信を行うカメラ１について主に説明したが、カメラ１に限られず、他の撮像装置であったり、携帯電話機、ＰＤＡ、リモートコントロール装置等、種々の端末に対して適用可能である。また、外部機器の一例としてテレビジョン２との間で無線通信する場合について説明したが、特にテレビジョンに限られずＰＣや、プリンタ装置の種々の電子機器を利用することが可能である。
【００８７】
以上、本開示を実施形態に基づき具体的に説明したが、本開示は、実施形態に限定されるものではなく、その要旨を逸脱しない範囲で種々変更可能であることはいうまでもない。
【符号の説明】
【００８８】
１  カメラ、２  テレビジョン、１０，１８３  制御部、１１  カメラブロック、１５  モニタ、１６，２７  入力部、１７  制御マイコン、１８，２１  通信モジュール、２３，４０，５０，１８５  メモリ、２６  表示部、３０  配線、６０  登録可否要求画面、１８１  ベースバンド回路、１８２  送受信回路、１８２ｂ  ローパスフィルタ、１８２ｃ  変調器、１８２ｄ  送信アンプ、１８２ｅ  スイッチ回路、１８２ｆ  受信アンプ、１８２ｇ  復調器、１８２ｈ  帯域フィルタ、１８２ｊ  復調回路、１８２ｌ  アンテナ、１８４  発振器。
【図１】
0006426060.tif 000002
【図２】
0006426060.tif 000003
【図３】
0006426060.tif 000004
【図４】
0006426060.tif 000005
【図５】
0006426060.tif 000006
【図６】
0006426060.tif 000007
【図７】
0006426060.tif 000008
【図８】
0006426060.tif 000009
【図９】
0006426060.tif 000010